(57)【要約】【課題】外装材を装着する場合にも、椅子の背板の背面側が外装材によって被覆されることを好適に回避するとともに、外観においても良好な椅子の背凭れを提供する。【解決手段】背板６１の前面側に外装材６２を装着し得るようにした椅子１００の背凭れ６であって、背板６１の前面に、正面視において該背板６１の外周縁よりも少なくとも前記外装材６２の縁部の厚み相当寸法分だけ内側に変移させた掛止用外周縁を有してなる掛止部材６３、６４を設け、この掛止部材６３、６４の掛止用外周縁に前記外装材６２の縁部を掛けるようにした。【選択図】図７
2010063827.tif 000002
【特許請求の範囲】
【請求項１】
背板の前面側に外装材を装着し得るようにした椅子の背凭れであって、背板の前面に、正面視において該背板の外周縁よりも少なくとも前記外装材の縁部の厚み相当寸法分だけ内側に変移させた掛止用外周縁を有してなる掛止部材を設け、この掛止部材の掛止用外周縁に前記外装材の縁部を掛けるようにしたことを特徴とする椅子の背凭れ。
【請求項２】
前記掛止部材が、前記背板の上端部及び下端部の少なくとも一方に設けられている請求項１記載の椅子の背凭れ。
【請求項３】
前記掛止部材が、前記背板の前面に一体に形成されたものである請求項１又は２記載の椅子の背凭れ。
【請求項４】
前記掛止部材が、前記背板と別体をなし、前記背板の前面に取付けられたものである請求項１又は２記載の椅子の背凭れ。
【請求項５】
前記掛止部材の掛止用外周縁と前記背板の前面との間に、少なくとも外装材の縁部を挿入し得る溝が形成されている請求項１、２、３又は４記載の椅子の背凭れ。
【発明の詳細な説明】
【技術分野】
【０００１】
本発明は、オフィス等において好適に使用される椅子の背凭れに関するものである。
【背景技術】
【０００２】
従来、椅子の背凭れにおいて、着座時の接触感を向上させたり外観を整えたりする目的で、背板に外装材を装着し得るようにしたものが公知である（例えば特許文献１参照）。ここで用いられる外装材は、布地を縫製して袋状の収容部を形成したものであって、この袋状の収容部を椅子の背板の上端側の外周縁に覆い被せるようにすることで、背板に装着可能にしたものである。
【特許文献１】特開２００８−１６８１５１
【発明の開示】
【発明が解決しようとする課題】
【０００３】
従来の椅子の背凭れに外装材を装着する場合、背板の背面側の少なくとも一部の範囲は、袋状の収容部によって被覆されることになる。このため、背板の背面側を種々の用途に利用する場合、例えば、背板の上方にヘッドレストを取り付けるような場合には、袋状の収容部が被覆する範囲を考慮して背板の背面側に部品等を取り付ける必要が生じ、背板の背面側を利用するに際して制約が生じることがあった。更に、椅子を後方から見た場合には、背板の背面側に外装材の一部が必然的に見えてしまうことから、外観面において必ずしも良好なものであるとは言えなかった。
【０００４】
本発明は、このような課題に着目してなされたものであって、主たる目的は、外装材を装着する場合にも、椅子の背板の背面側が外装材によって被覆されることを好適に回避するとともに、外観においても良好な椅子の背凭れを提供することにある。
【課題を解決するための手段】
【０００５】
すなわち、本発明の椅子の背凭れは、背板の前面側に外装材を装着し得るようにした椅子の背凭れであって、背板の前面に、正面視において該背板の外周縁よりも少なくとも前記外装材の縁部の厚み相当寸法分だけ内側に変移させた掛止用外周縁を有してなる掛止部材を設け、この掛止部材の掛止用外周縁に前記外装材の縁部を掛けるようにしたことを特徴とする。
【０００６】
このようなものであれば、背板の前面側に外装材を確実に装着することができるとともに、背板の背面側には外装材が及ばないようにすることができるため、背板の背面側を外装材の被覆範囲を考慮することなく利用することができる。しかも、掛止部材の掛止用外周縁を背板の外周縁よりも少なくとも外装材の縁部の厚み相当寸法分だけ内側に変位させたものであるので、椅子の後方から背凭れを見た場合に外装材が背板からはみ出して見える状態を好適に抑制することができ、外観において極めて良好なものとなる。
【０００７】
前記掛止部材は、前記背板の上端部及び下端部の少なくとも一方に設けられているものであれば、背板の背面側の縁部を好適に利用することができる。
【０００８】
また、前記掛止部材が、前記背板の前面に一体に形成されたものであれば、特段の部品を要することなく外装材の取り付けることができ、所期の目的を達成することができる。
【０００９】
一方、前記掛止部材が、前記背板と別体をなし、前記背板の前面に取付けられたものであれば、背板の基本形状を変更することなく外装材を装着可能なものとすることができる。
【００１０】
外装材を確実に取り付け可能とするには、前記掛止部材の掛止用外周縁と前記背板の前面との間に、少なくとも外装材の縁部を挿入し得る溝が形成されているものであれば好適である。
【発明の効果】
【００１１】
以上説明したように本発明によれば、外装材を装着する場合にも、椅子の背板の背面側が外装材によって被覆されることを好適に回避するとともに、外観においても良好な椅子の背凭れを提供することができる。
【発明を実施するための最良の形態】
【００１２】
以下、本発明をシンクロチルト式の事務用回転椅子１００に適用した場合の一実施形態につき、図面を参照して説明する。
【００１３】
この椅子１００は、図１ないし図４に示すように、脚１と、この脚１の上部に支持され水平旋回可能な支持基部２と、この支持基部２の上に配された座受３と、この座受３に保持された座４と、前記座受３下方から左右上方に延びて設けられた肘掛け１０と、前記支持基部２に後傾動作可能に設けられた背支持体５と、この背支持体５に取り付けられた背凭れ６と、この背凭れ６の上端部に着脱可能に設けられるヘッドレスト８とを具備してなる。
【００１４】
前記脚１は、脚ベース１１と、脚ベース１１の中心部に設けられた脚支柱１２とを備えてなる。前記脚ベース１１は、中心部に設けたハブ１１ａから脚羽根１１ｂを放射状に突出させて設けたもので、前記脚羽根１１ｂ先端にキャスター１１ｃをそれぞれ設けている。前記脚支柱１２は、ガススプリングを主体に構成されたもので、上下方向に弾性的に伸縮し、所望位置でロックすることができるようにした通常のものである。
【００１５】
前記支持基部２は、前記脚支柱１２の上端部に取り付けられたハウジング２１と、このハウジング２１に剛結され前記背支持体５を後傾動作可能に支持する主軸２２と、前記ハウジング２１内に設けられ前記背支持体５の後傾動作に対して反発力を発生させる傾動反力発生機構（図示せず）とを具備してなる。前記傾動反力発生機構は、コイルスプリングやガススプリング等を用いた通常のものであるため、説明を省略する。
【００１６】
前記座受３は、前記座４を保持するシェル状のもので、その前端側が前記支持基部２に前後動可能に取り付けられているとともに、その後端側が前記背支持体５の基端部に支持されている。
【００１７】
前記肘掛け１０は、前記座受３に取り付けられた肘支柱１０１と、前記肘支柱１０１の上端部に設けられた肘当て１０２とを具備してなる。左右の肘掛け１０は、左右対称形状をなしている。
【００１８】
前記背支持体５は、前記支持基部２の主軸２２に後傾動作可能に支持された背支桿５１と、この背支桿５１の上端部に取り付けられた弾性横桿５２とを具備してなる。前記背支桿５１は、基端部を前記支持基部２の主軸２２に取り付けた下部背フレーム５１ｂと、この下部背フレーム５１ｂの先端に結合した上部背フレーム５１ａとを備えている。前記下部背フレーム５１ｂは、金属製のもので、その外側がカバー５３により覆われている。そのカバー５３の外面は、前記上部背フレーム５１ａの外面に連続するように位置づけられている。前記上部背フレーム５１ａは、合成樹脂により一体成形されたもので、その上方は二股に分岐されている。前記弾性横桿５２は、中間部二箇所を前記背支桿５１の上端部に支持させた、背面視において左右方向に向く直線形状に形成された板ばね状のもので、その両端部で前記背凭れ６を支えている。
【００１９】
前記背凭れ６は、背板６１を主体に構成されたものであり、この背板６１の前面に着脱可能に添え設けられた上下の掛止部材６３、６４と、これらの掛止部材６３、６４の前面に脱着可能に設けられた外装材６２とを備えてなる。前記背板６１は、背板本体６１ａと、この背板本体６１ａの左右両側部に設けた側端取付部６１ｃと、前記背板本体６１ａの下端部に設けた下端取付部６１ｂとを具備してなるもので、前記側端取付部６１ｃを前記弾性横桿５２の両端部に接続するとともに、前記下端取付部６１ｂを前記背支桿５１の下部背フレーム５１ｂに取り付けている。
【００２０】
前記背板本体６１ａは、合成樹脂により作られたもので、孔６１ｄを有しない周縁枠部６１ａ１と、この周縁枠部６１ａ１に囲まれた中間面部６１ａ２とを具備してなる。前記中間面部６１ａ２は、複数の孔６１ｄを設けた樹脂メッシュ領域Ｍと、孔６１ｄを有しない樹脂シェル領域Ｓとを備えたもので、その樹脂メッシュ領域Ｍと樹脂シェル領域Ｓとを交互に配置している。具体的には、前記中間面部６１ａ２の樹脂シェル領域Ｓは、水平なベルト状のもので前記周縁枠部６１ａ１の対向部位を連結するように配されている。ベルト状をなす前記樹脂シェル領域Ｓは、上下方向に間隔を開けて複数本平行に配されており、これら樹脂シェル領域Ｓ間及び樹脂シェル領域Ｓと周縁枠部６１ａ１との間に前記樹脂メッシュ領域Ｍがそれぞれ形成されている。前記樹脂メッシュ領域Ｍは、前記樹脂シェル領域Ｓよりも薄肉に形成されており、貫設された複数の円形の孔６１ｄを有している。すなわち、前記樹脂シェル領域Ｓの前面と前記樹脂メッシュ領域Ｍの前面とは面一に形成されている一方、前記樹脂メッシュ領域Ｍの背面は、前記樹脂シェル領域Ｓの背面よりも凹んで設けられている。前面はフラットであるため、着座者が背に荷重をかけて変形させる過程において引っ掛かり等の違和感を受けることがない。裏面には凹凸のベルト形状が形成されるが、このようにすることで背板の柔軟性を適切に設計することができる。
【００２１】
以下、図５ないし図７を参照して説明する。ここで図５は、図２における背板本体６１ａの前面に設けられた外装材６２及び掛止部材６３を取り外した状態の椅子１００の斜視図である。また、図６は、図４におけるＡ―Ａ線に沿う拡大断面図、具体的にはヘッドレスト８から背板本体６１ａにかけてヘッドレスト８の後脚部８１ｃの幅方向中心を通過するように垂直に切断した断面図を表す。図７は、背板６１に取り付けられるヘッドレスト８、掛止部材６３、６４及び外装材６２の分解斜視図を表す。
【００２２】
前記上の掛止部材６３は、前記背板６１と同じ合成樹脂により一体に形成されており、背板６１を介してヘッドレスト８の後脚部８１ｃと接続される部材本体６３ａと、この部材本体６３ａの上方に連続して設けられ前記外装材６２の上端を掛けるための掛け止め縁部６３ｂとを具備してなる。前記上の掛止部材６３の掛け止め縁部６３ｂにおける掛止用外周縁６３ｃは、正面視において前記背板６１の外周縁よりも前記外装材６２の縁部の厚み相当寸法分だけ内側に変移させた形状をなしている。前記上の掛止部材６３の前面側は、掛け止め縁部６３ｂと部材本体６３ａとが面一である一方、上の掛止部材６３の背面側は、前記部材本体６３ａが掛け止め縁部６３ｂに比べて後方に突出している。この突出した部分は前記背板６１の前面に沿った形状を有しているため、前記部材本体６３ａは、前記背板６１の前面に脱着可能に添えて設けられる。また、前記部材本体６３ａには左右１ヶ所ずつ、後述するヘッドレスト８の２本の後脚部８１ｃに対応する部分に前後に貫通するねじ孔６３ａ１が設けられている。前記掛け止め縁部６３ｂは、隙間を介して背板６１の上縁部に対面し、その掛止用外周縁６３ｃは外装材６２の縁部の厚み相当寸法分だけ内側に変移した状態で背板６１の上縁部における外周縁に沿った形態をなす。しかして、前記上の掛止部材６３の掛止用外周縁６３ｃと、前記背板６１の前面との間には、外装材の縁部を挿入し得る溝ＭＺ１が形成される。
【００２３】
下の掛止部材６４は、前記背板６１と同じ合成樹脂により一体に形成されており、背板６１に接続される部材本体６４ａと、この部材本体６４ａの下方に連続して設けられ前記外装材６２の下端を掛けるための掛け止め縁部６４ｂとを具備してなる。前記下の掛止部材６４の掛け止め縁部６４ｂにおける掛止用外周縁６４ｃは、正面視において前記背板６１の外周縁よりも前記外装材６２の縁部の厚み相当寸法分だけ内側に変移させた形状をなしている。前記下の掛止部材６４の前面側は、掛け止め縁部６４ｂと部材本体６４ａとが面一である一方、下の掛止部材６４の背面側は、前記部材本体６４ａが掛け止め縁部６４ｂに比べて後方に突出している。この突出した部分は前記背板６１の前面に沿った形状を有しているため、前記部材本体６４ａは、前記背板６１の前面に脱着可能に添えて設けられる。また、前記部材本体６４ａには左右１ヶ所ずつ、前後に貫通するねじ孔６４ａ１が設けられており、前面側からボルト（図示せず）を挿入した上で、背板背面側に添設されたナット部材（図示せず）に羅着して、下の掛止部材６４を背板６１に取り付けできるようにしている。前記掛け止め縁部６４ｂは、隙間を介して背板６１の下縁部に対面し、その掛止用外周縁６４ｃは外装材６２の縁部の厚み相当寸法分だけ内側に変移した状態で背板６１の下縁部における外周縁に沿った形態をなす。しかして、前記上の掛止部材６４の掛止用外周縁６４ｃと、前記背板６１の前面との間には、外装材の縁部を挿入し得る溝ＭＺ２が形成される。
【００２４】
前記外装材６２は、張地の内面にシート状のクッションを添設した外装材本体６２ａと、その外装材本体６２ａの上縁側を下向きに開口する袋状に縫製された上縁取付部６２ｂと、前記外装材本体６２ａの下縁側を上向きに開口する袋状に縫製された下縁取付部６２ｄとを具備してなる。
【００２５】
具体的に、前記外装材本体６２ａは、前記背板６１の周縁枠部６１ａ１の外周縁に略沿った形状をなす。前記上縁取付部６２ｂは、前記外装材本体６２ａの上部に対応した形状をなす１枚の張地が、前記外装材本体６２ａの上方に重なって設けられ、それらの上縁部が縫い合わされていることにより、下向きの開口を有する袋状をなしている。前記下縁取付部６２ｂは、前記外装材本体６２ａの下部に対応した形状をなす１枚の張地が、前記外装材本体６２ａの下方に重なって設けられ、それらの下縁部が縫い合わされていることにより、上向きの開口を有する袋状をなしている。
【００２６】
前記ヘッドレスト８は、前記背板６１に着脱可能に取付部分を設けられたベース８１と、このベース８１に支持され使用者の頭部を支えるヘッドレスト本体８２とを具備してなる。
【００２７】
前記ベース８１は、合成樹脂により一体に形成されており、前記ヘッドレスト本体８２に取り付けられるベース本体８１ａと、このベース本体８１ａから下方に延びる４本の前脚部８１ｂと、この前脚部８１ｂと平行に前記ベース本体８１ａから下方に延びる２本の後脚部８１ｃとを具備してなる。２本の後脚部８１ｃは左右対称に設けられ、それぞれその下部に、前記背板６１に設けられた段部６１ａ３に係わり合わせるための係わり合い部８１ｃ１を有している。前記後脚部８１ｃの背面は面一に形成されている一方、その前面は、前記係わり合い部８１ｃ１として後脚部８１ｃの上部よりも肉厚なものとしており、ヘッドレスト８にかかる荷重を支えている。さらに、それらの係わり合い部８１ｃ１における前記掛止部材６３に設けられたねじ孔６３ａ１に対応した場所に、凹部８２ｂ１が設けられ、この凹部８２ｂ１に金属製のインサートナットＮが成型されている。
【００２８】
前記ヘッドレスト本体８２は、前記ベース８１と一体に形成され前記ベース本体８１ａの上方から連続する合成樹脂製のバックプレート８２ａと、このバックプレート８２ａの前面及び背面を覆うクッション及び張地から成る外装材本体８２ｂとを具備する。当該外装材６２は、椅子１００の座４や背凭れ６に用いられる外装材本体６２ａと同様の材質や色彩とすることが好ましい。
【００２９】
本実施形態では、前記背板６１にヘッドレスト８のベース８１を着脱可能に係わり合わせることによりヘッドレスト８を取り付けるようにしている。具体的には、前記背板６１に設けられた段部６１ａ３にヘッドレスト８の後脚部８１ｃを弾性変形を利用して着脱可能に係わり合わせ、さらに前記掛止部材６３と後脚部８１ｃの係わり合い部８１ｃ１とを用いて前記背板６１を前後に挟み、前記掛止部材６３の前方から後脚部８１ｃまで貫通させたねじＢにより緊締結合させている。
【００３０】
なお、図９には、前記背板６１からヘッドレスト８を取り外した態様の椅子１００が示されているが、このような椅子についても掛止部材６３を取り付けた上で、外装材６２を装着することができるのはもちろんのことである。この際、掛止部材６３を背板６１に取り付けるには、掛止部材６３のねじ孔６３ａ１にボルト部材（図示せず）を前面側から挿通した上で、背板６１の孔６１ｄに挿通し、背板６１の背面側に添設されたナット部材（図示せず）に螺着して行う。なお、図１０に示す椅子は、図９に示される椅子１００に、外装材６２を取り付けた状態のものである。
【００３１】
このように、本実施形態に係る椅子の背凭れは、外装材を装着する場合にも、椅子の背板の背面側が外装材によって被覆されることを好適に回避して、背板の背面を広く利用可能にするとともに、外観においても良好な椅子の背凭れを提供することができる。
【００３２】
なお、本発明は、以上に詳述した実施形態に限られるものではない。
【００３３】
本実施形態では、主に、掛止部材が背板と別体をなしたものについて説明をしてきたが、掛止部材が背板の前面に一体に形成されたものでもよい。図１１は、上下の掛止部材６３、６４が、背板６１の前面に一体に形成された椅子の背凭れ６１を示した側断面図である。このようなものであれば、特段の部品を要することなく外装材を背板の前面に取り付けることが可能となり、取り扱いが極めてシンプルとなり便宜である。
【００３４】
また、掛止部材６３、６４のうち、何れか一方を背板の前面に一体に形成されたものとしても良い。
【００３５】
更に、本実施形態では、掛止部材が背板の上端部及び下端部に設けられたものを示したが、背板の前面の左右両端部に設けたものとしてもよい。換言すれば、掛止部材は、背板の前面の何れの端部にも適宜設けることができる。
【００３６】
掛止部材の掛止用外周縁と背板の前面との間には、少なくとも外装材の縁部を挿入し得る溝が形成されているが、この他にも、例えば掛止部材の背板に面する側若しくは背板の掛止部材に面する側に、突出する部材を適宜配設しておけば、外装材が突出する部材に係合して安易に溝から抜け取れることを好適に防ぐことができる。
【００３７】
その他、各部の具体的構成についても上記実施形態に限られるものではなく、本発明の趣旨を逸脱しない範囲で種々変形が可能である。
【図面の簡単な説明】
【００３８】
【図１】本発明の実施形態に係る椅子を示す後方斜視図。
【図２】同実施形態の前方斜視図。
【図３】同実施形態の側面図。
【図４】同実施形態の背面図。
【図５】本発明の実施形態における外装材及び掛止部材を外した状態を示す分解斜視図。
【図６】同実施形態に係る椅子を示すＡ−Ａ線断面図。
【図７】本発明の実施形態における外装材、掛止部材及びヘッドレストを外した状態を示す分解斜視図。
【図８】同実施形態に係る椅子用背板及び掛止部材の位置関係を示す正面図。
【図９】同実施形態に係る外装材を装着しない状態の椅子を示す斜視図。
【図１０】同実施形態に係る外装材を装着した状態の椅子を示す斜視図。
【図１１】同実施形態における椅子の背板を示すＢ―Ｂ線断面図。
【符号の説明】
【００３９】
１００…椅子
６…背凭れ
６１…背板
６２…外装材
６３…掛止部材
【図１】
2010063827.tif 000003
【図２】
2010063827.tif 000004
【図３】
2010063827.tif 000005
【図４】
2010063827.tif 000006
【図５】
2010063827.tif 000007
【図６】
2010063827.tif 000008
【図７】
2010063827.tif 000009
【図８】
2010063827.tif 000010
【図９】
2010063827.tif 000011
【図１０】
2010063827.tif 000012
【図１１】
2010063827.tif 000013